(57)【要約】【課題】光の利用効率を向上できる照明装置を提供する。【解決手段】ＬＥＤから成る光源３と、光源３を覆うとともに光源３の出射光を透過して照明光を出射する透過カバー２とを備えた照明装置１において、透過カバー２の内面２ｂが光源３の光軸Ｃ上を含む所定範囲に内側または外側に突出する突出部２ｃを有し、突出部２ｃは光源３から出射して突出部２ｃで反射された光を入射方向と異なる方向に導く。【選択図】図２
2012185955.tif 000002
【特許請求の範囲】
【請求項１】
光源と、前記光源を覆うとともに前記光源の出射光を透過して照明光を出射する透過カバーとを備えた照明装置において、前記透過カバーの内面が前記光源の光軸上を含む所定範囲に内側または外側に突出する突出部を有し、前記突出部は前記光源から出射して前記突出部で反射された光を入射方向と異なる方向に導くことを特徴とする照明装置。
【請求項２】
前記突出部が前記透過カバーの内面よりも外側に曲率中心を有して内側に突出し、光軸上を除く光を前記光源の光軸から離れる方向に反射させることを特徴とする請求項１に記載の照明装置。
【請求項３】
前記突出部が前記透過カバーの内面よりも内側に曲率中心を有して外側に突出し、前記突出部を除く前記透過カバーの内面よりも曲率半径が小さいことを特徴とする請求項１に記載の照明装置。
【請求項４】
前記光源の周囲に反射部を設けたことを特徴とする請求項２または請求項３に記載の照明装置。
【請求項５】
前記光源から出射して前記突出部の外周部で反射した光が前記反射部に導かれることを特徴とする請求項４に記載の照明装置。
【請求項６】
前記突出部を除く前記透過カバーの内面の断面形状が楕円の一部を含み、前記光源が該楕円の中心に対して長軸方向にオフセットするとともに前記光源の光軸が該長軸方向に一致することを特徴とする請求項２〜請求項５のいずれかに記載の照明装置。
【請求項７】
前記突出部を除く前記透過カバーの出射範囲の内面が前記光源の光軸に直交する平面を有することを特徴とする請求項２〜請求項５のいずれかに記載の照明装置。
【請求項８】
前記透過カバーの内面に対して前記突出部の曲率中心と反対側に曲率中心を有した曲面から成る面取り部を前記突出部の外周部に連続して設けたことを特徴とする請求項２〜請求項７のいずれかに記載の照明装置。
【請求項９】
前記透過カバーが拡散材を含有することを特徴とする請求項１〜請求項８のいずれかに記載の照明装置。
【請求項１０】
前記光源がＬＥＤであることを特徴とする請求項１〜請求項９のいずれかに記載の照明装置。
【発明の詳細な説明】
【技術分野】
【０００１】
本発明は、光源を覆って照明光を出射する透過カバーを備えた照明装置に関する。
【背景技術】
【０００２】
従来の照明装置は特許文献１に開示されている。この照明装置はＬＥＤから成る光源を有し、軸方向に延びた直管タイプに形成される。照明装置の外面は断面円形の透過カバーで覆われる。透過カバー内には複数の光源を所定間隔で実装した軸方向に長尺の基板が配される。
【０００３】
光源を実装した基板は透過カバーに内嵌されたホルダー部材により保持される。光源は基板に直交する光軸を透過カバーの中心線に一致し、透過カバーの中心に対してオフセットして配置される。また、ホルダー部材には基板上の光源の周囲に配された反射部が設けられる。
【０００４】
光源から放射状に出射された光は透過カバーを透過する。また、透過カバーの内面で反射する光は反射部で再度反射して透過カバーを透過する。これにより、透過カバーの周面から照明光が出射される。反射部を設けることにより基板で吸収される光量を削減することができる。
【先行技術文献】
【特許文献】
【０００５】
【特許文献１】特開２０１０−１２９３８２号公報（第５頁〜第１５頁、第２図）
【発明の概要】
【発明が解決しようとする課題】
【０００６】
しかしながら、上記従来の照明装置によると、光源の光軸近傍の光が透過カバーで反射すると、反射光は光源側に戻る方向に進行する。光源であるＬＥＤ素子、ＬＥＤ素子を封止する樹脂、該樹脂に含まれる蛍光体、光源が実装される基板等の外郭部材は反射率が低く、光源側に戻る方向に進行する光がこれらに吸収される。このため、有効な照明光として取り出せる光が減少し、光の利用効率が低くなる問題があった。
【０００７】
本発明は、光の利用効率を向上できる照明装置を提供することを目的とする。
【課題を解決するための手段】
【０００８】
上記目的を達成するために本発明は、光源と、前記光源を覆うとともに前記光源の出射光を透過して照明光を出射する透過カバーとを備えた照明装置において、前記透過カバーの内面が前記光源の光軸上を含む所定範囲に内側または外側に突出する突出部を有し、前記突出部は前記光源から出射して前記突出部で反射された光を入射方向と異なる方向に導くことを特徴としている。
【０００９】
この構成によると、光源から出射された光は透過カバーを透過し、透過カバーから照明光が出射される。また、光源から出射された光軸近傍の光は透過カバーに設けた突出部を透過するとともに突出部で反射する。突出部で反射した光は突出部への入射時と異なる方向に進行して光源に対して外周側に導かれる。
【００１０】
また本発明は、上記構成の照明装置において、前記突出部が前記透過カバーの内面よりも外側に曲率中心を有して内側に突出し、光軸上を除く光を前記光源の光軸から離れる方向に反射させることを特徴としている。この構成によると、突出部が例えば、円筒面や球面に形成され、透過カバーの内面から内側に突出する。光源から出射された光軸近傍の光は突出部で光軸から離れる方向に反射して光軸に対する角度が大きくなる。これにより、突出部の反射光が光源に対して外周側に導かれる。
【００１１】
また本発明は、上記構成の照明装置において、前記突出部が前記透過カバーの内面よりも内側に曲率中心を有して外側に突出し、前記突出部を除く前記透過カバーの内面よりも曲率半径が小さいことを特徴としている。この構成によると、突出部が例えば、円筒面や球面に形成され、透過カバーの内面から外側に突出する。突出部の曲率半径が小さいため光源から出射された光軸近傍の光の入射角が大きく、反射光の光軸に対する角度が大きくなる。これにより、突出部の反射光が光源に対して外周側に導かれる。
【００１２】
また本発明は、上記構成の照明装置において、前記光源の周囲に反射部を設けたことを特徴としている。この構成によると、突出部で反射して光源の外周側に導かれた光が反射部で再度反射し、透過カバーから出射される。
【００１３】
また本発明は、上記構成の照明装置において、前記光源から出射して前記突出部の外周部で反射した光が前記反射部に導かれることを特徴としている。この構成によると、突出部の外周部の反射光が反射部に導かれ、突出部の反射光の大部分が反射部で反射される。
【００１４】
また本発明は、上記構成の照明装置において、前記突出部を除く前記透過カバーの内面の断面形状が楕円の一部を含み、前記光源が該楕円の中心に対して長軸方向にオフセットするとともに前記光源の光軸が該長軸方向に一致することを特徴としている。この構成によると、突出部を除く透過カバーの内面で反射する光が光源に対して外周側に導かれる。
【００１５】
また本発明は、上記構成の照明装置において、前記突出部を除く前記透過カバーの内面が前記光源の光軸に直交する平面を有することを特徴としている。この構成によると、突出部を除く透過カバーの内面で反射する光が光源に対して外周側に導かれる。
【００１６】
また本発明は、上記構成の照明装置において、前記透過カバーの内面に対して前記突出部の曲率中心と反対側に曲率中心を有した曲面から成る面取り部を前記突出部の外周部に連続して設けたことを特徴としている。この構成によると、突出部の周囲と突出部との間の透過カバーの厚みの急激な変化が低減される。
【００１７】
また本発明は、上記構成の照明装置において、前記透過カバーが拡散材を含有することを特徴としている。この構成によると、透過カバーを透過する光が拡散材により拡散される。
【００１８】
また本発明は、上記構成の照明装置において、前記光源がＬＥＤであることを特徴としている。
【発明の効果】
【００１９】
本発明によると、透過カバーの内面に設けた突出部が反射光を入射方向と異なる方向に導くので、光軸近傍の光が突出部で光源から離れるように反射する。従って、光源に戻って吸収される光を削減し、照明装置の光の利用効率を向上することができる。
【図面の簡単な説明】
【００２０】
【図１】本発明の第１実施形態の照明装置を示す正面断面図
【図２】図１のＡ−Ａ断面図
【図３】本発明の第２実施形態の照明装置を示す側面断面図
【図４】本発明の第３実施形態の照明装置の内部を示す平面図
【図５】図４のＢ−Ｂ断面図
【図６】本発明の第４実施形態の照明装置を示す正面断面図
【発明を実施するための形態】
【００２１】
以下に本発明の実施形態を図面を参照して説明する。図１は第１実施形態の照明装置の正面断面図を示している。また、図２は図１のＡ−Ａ断面図を示している。照明装置１は軸方向に延びた長尺の直管タイプに形成される。照明装置１は一方向に延びて設置面上に設置される支持板５が底面に配される。
【００２２】
支持板５上にはＬＥＤ等の点発光する複数の光源３を軸方向に並設した基板４が配される。軸方向に延びた線発光する光源を基板４上に設けてもよい。基板４上にはＰＥＴシート等により形成される反射部６が貼り付けられる。反射部６は光源３が貫通する貫通孔６ａを有し、光源３の周囲に配される。
【００２３】
光源３の上方は透過カバー２により覆われる。透過カバー２は拡散材を含有したポリカーボネートやアクリル等の樹脂を押出成形して形成され、光源３の出射光を拡散透過して照明光を出射する。透過カバー２の底部の両端部には内側に折曲された係合爪２ｅが設けられ、支持板５に設けた突起部５ａに係合爪２ｅが係合して透過カバー２が保持される。尚、透過カバー２及び支持板５の軸方向の両端部はキャップ７を被嵌して塞がれる。
【００２４】
透過カバー２は照明光の出射範囲において外面２ａ及び内面２ｂの断面がそれぞれＯを中心とする同心の楕円Ｅ１、Ｅ２の一部により形成される。楕円Ｅ１は例えば、長辺が１９．２ｍｍで離心率が０．２８６に形成される。楕円Ｅ２は例えば、長辺が１８ｍｍで離心率が０．２８６に形成される。また、基板４に直交する光軸Ｃは楕円Ｅ１、Ｅ２の長軸に一致し、光源３は中心Ｏに対して突出部２ｃに近づく方向に長軸方向にオフセットして楕円Ｅ２の一方の焦点に配される。
【００２５】
透過カバー２の内面２ｂには、透過カバー２の長手方向に延びて光軸Ｃを挟む所定範囲に内側に突出した突出部２ｃが設けられる。突出部２ｃは透過カバー２の内面２ｂよりも外側に曲率中心を有し、断面形状が例えば半径が１８．７ｍｍの円の一部や楕円の一部に形成される。これにより、突出部２ｃで透過カバー２の厚みが不均一になっている。
【００２６】
また、透過カバー２の内面２ｂには突出部２ｃの外周部に連続した面取り部２ｆが形成される。面取り部２ｆは透過カバー２の内面２ｂに対して突出部２ｃの曲率中心と反対側に曲率中心を有した曲面により形成される。面取り部２ｆによって突出部２ｃの外周部と突出部２ｃの周囲の内面２ｂとの境界が滑らかに連結される。これにより、突出部２ｃの周囲と突出部２ｃとの間の透過カバー２の厚みの急激な変化を低減し、透過カバー２の厚みが不均一な領域から出射される光のムラを低減することができる。
【００２７】
突出部２ｃは例えば、光軸Ｃに対して中心角が±２０．６゜の範囲に形成される。突出部２ｃを光軸Ｃに対して中心角が±３０゜以下の範囲に形成することにより、透過カバー２の厚みが著しく大きくなることを回避して透過カバー２を容易に成形することができる。尚、透過カバー２の外面２ａの突出部２ｃに対向する部分を突出部２ｃに沿って凹面に形成してもよい。これにより、透過カバー２の厚みを均一にして容易に成形することができる。
【００２８】
上記構成の照明装置１において、光源３から放射状に出射された光は透過カバー２の内面２ｂに到達する。光源３の光軸Ｃの近傍の光は突出部２ｃに到達し、矢印Ｓ１１に示すように透過カバー２を透過する。光源３の光軸Ｃから離れた光は突出部２ｃの周囲の内面２ｂに到達し、矢印Ｓ２１に示すように透過カバー２を透過する。これにより、透過カバー２から照明光が出射される。
【００２９】
また、光源３の光軸Ｃ上を除く光軸Ｃ近傍の光の一部は突出部２ｃに到達して矢印Ｓ１２に示すように突出部２ｃで反射し、光軸Ｃから離れて入射方向と異なる方向に導かれる。これにより、突出部２ｃの反射光が光源３から離れた位置で反射部６で反射し、矢印Ｓ１３に示すように透過カバー２を透過して照明光が出射される。この時、透過カバー２で再度反射する光は光量が非常に少ないため無視できる。
【００３０】
光源３の出射光はランベルトの余弦則によって光軸Ｃ上の光度が高くなる。このため、突出部２ｃによって光軸Ｃ近傍の光を光源３から離れた位置に反射し、光源３による光の吸収を低減して光の利用効率を向上させることができる。
【００３１】
突出部２ｃの周囲の内面２ｂに到達した光の一部は矢印Ｓ２２に示すように内面２ｂで反射する。この時、内面２ｂの断面形状が楕円Ｅ２の一部により形成され、光源３が楕円Ｅ２の中心Ｏに対してオフセットして一方の焦点に配されるため、反射光が光源３と異なる焦点に向かって入射方向と異なる方向に導かれる。これにより、突出部２ｃの周囲の反射光が反射部６で反射し、矢印Ｓ２３に示すように透過カバー２を透過して照明光が出射される。
【００３２】
本実施形態によると、透過カバー２の内面２ｂに設けた突出部２ｃが反射光を入射方向と異なる方向に導くので、光軸Ｃ近傍の光が突出部２ｃで光源３から離れるように反射する。従って、光源３に戻って吸収される光を削減し、照明装置１の光の利用効率を向上することができる。
【００３３】
また、突出部２ｃが透過カバー２の内面２ｂよりも外側に曲率中心を有して内側に突出し、光軸Ｃ上を除く光を光源３の光軸Ｃから離れる方向に反射させるので、光軸Ｃ近傍の光を反射して光源３から離れた位置に導く突出部２ｃを容易に実現することができる。
【００３４】
また、光源３の周囲に反射部６を配置したので、透過カバー２の反射光を反射部６で反射して照明光として利用することができる。基板４や基板４の周囲の支持板５上に高反射性の白色塗料等を塗布して反射部６を形成してもよい。
【００３５】
尚、反射部６は突出部２ｃの外周部で反射した光の進路上を覆い、該光が反射部６に導かれるようになっている。これにより、突出部２ｃで反射した光の大部分が反射部６に到達し、反射部６に到達せずに透過カバー２から設置面方向に出射される光を低減することができる。
【００３６】
また、突出部２ｃを除く透過カバー２の内面２ｂの断面形状が楕円Ｅ２の一部を含み、光源３が楕円Ｅ２の中心Ｏに対して長軸の方向にオフセットして光源３の光軸Ｃが該長軸方向に一致する。これにより、突出部２ｃを除く透過カバー２の内面２ｂで反射する光が光源３に対して外周側に導かれる。従って、光源３に戻って吸収される光をより削減することができる。
【００３７】
尚、光源３が楕円Ｅ２の中心に対して突出部２ｃに近づく方向にオフセットしているが、突出部２ｃから遠ざかる方向にオフセットしてもよい。また、突出部２ｃを除く透過カバー２の内面２ｂの断面形状を円形の一部から成る円弧状に形成し、光源３が該円の中心に対してオフセットするように配置してもよい。
【００３８】
また、突出部２ｃの外周部に連続する面取り部２ｆを設けたので、突出部２ｃの周囲と突出部２ｃとの間の透過カバー２の厚みの急激な変化が低減される。従って、透過カバー２の厚みが不均一な領域から出射される光のムラを低減することができる。
【００３９】
また、透過カバー２が拡散材を含有するので、透過光を拡散してグレアを低減することができる。この時、突出部２ｃは透過カバー２の内面２ｂから内側に突出するため厚みが大きくなっており、拡散材により拡散される光の割合が増加する。従って、光の強度が強い光軸Ｃ近傍に設けた突出部２ｃによって、より効果的にグレアを低減することができる。
【００４０】
次に、図３は第２実施形態の照明装置１の側面断面図を示している。説明の便宜上、前述の図１、図２に示す第１実施形態と同様の部分には同一の符号を付している。本実施形態は第１実施形態の突出部２ｃ（図２参照）に替えて、透過カバー２の内面２ｂに外側に突出する突出部２ｄが設けられる。その他の部分は第１実施形態と同様である。
【００４１】
突出部２ｄは透過カバー２の長手方向に延び、光軸Ｃを挟む所定範囲に設けられる。突出部２ｄの断面形状は透過カバー２の内面２ｂよりも内側に曲率中心を有した円や楕円の一部により形成されている。突出部２ｄの曲率半径は突出部２ｄを除く内面２ｂを形成する楕円Ｅ２の最小の曲率半径に対して小さく形成される。これにより、突出部２ｄで透過カバー２の厚みが不均一になっている。
【００４２】
尚、第１実施形態と同様に、内面２ｂに対して突出部２ｄの曲率中心と反対側に曲率中心を有した曲面から成る面取り部２ｆ（図３参照）を突出部２ｄの外周部に連続して設けてもよい。これにより、突出部２ｄの外周部と突出部２ｄの周囲の内面２ｂとの境界が滑らかに連結される。また、透過カバー２の外面２ａの突出部２ｄに対向する部分を突出部２ｄに沿って凸面に形成し、透過カバー２の厚みを均一にしてもよい。
【００４３】
上記構成の照明装置１において、光源３から放射状に出射された光は透過カバー２の内面２ｂに到達する。光源３の光軸Ｃから離れた光は突出部２ｄの周囲の内面２ｂに到達し、第１実施形態の矢印Ｓ２１、Ｓ２２（図２参照）と同様に透過カバー２を透過または反射する。
【００４４】
光源３の光軸Ｃの近傍の光は突出部２ｄに到達し、矢印Ｓ３１に示すように透過カバー２を透過する。また、光源３の光軸Ｃ上を除く光軸Ｃ近傍の光の一部は突出部２ｄに到達して矢印Ｓ３２に示すように突出部２ｄで反射する。この時、突出部２ｄの曲率半径が小さいため、反射光が光軸Ｃに対して大きい角度を有して入射方向と異なる方向に導かれる。これにより、突出部２ｄの反射光が光源３から離れた位置で反射部６で反射し、矢印Ｓ３３に示すように透過カバー２を透過して照明光が出射される。
【００４５】
本実施形態によると、第１実施形態と同様に、透過カバー２の内面２ｂに設けた突出部２ｄが反射光を入射方向と異なる方向に導くので、光軸Ｃ近傍の光が突出部２ｄで光源３から離れるように反射する。従って、光源３に戻って吸収される光を削減し、照明装置１の光の利用効率を向上することができる。
【００４６】
また、突出部２ｄが透過カバー２の内面２ｂよりも内側に曲率中心を有して外側に突出し、曲率半径が突出部２ｄを除く内面２ｂを形成する楕円Ｅ２の曲率半径よりも小さいので、光軸Ｃ近傍の光を反射して光源３から離れた位置に導く突出部２ｄを容易に実現することができる。
【００４７】
尚、反射部６は突出部２ｄの外周部で反射した光の進路上に配され、該光が反射部６に導かれるようになっている。これにより、突出部２ｄで反射した光の大部分が反射部６に到達し、反射部６に到達せずに透過カバー２から設置面方向に出射される光を低減することができる。
【００４８】
次に、図４は第３実施形態の照明装置の内部の平面図を示している。また、図５は図４のＢ−Ｂ断面図を示している。説明の便宜上、前述の図１、図２に示す第１実施形態と同様の部分には同一の符号を付している。照明装置１０は一方向に延びて設置面に垂直な断面形状が略矩形に形成される。
【００４９】
照明装置１０の底面には設置面上に設置される平面視矩形の支持板５が配される。支持板５上にはＬＥＤ等の点発光する複数の光源３を一方向に並設した基板４が複数列（本実施形態では３列）に配される。これにより、光源３がマトリクス状に配置される。複数列の基板４を一体化した１枚の基板上に光源３をマトリクス状に配置してもよい。また、線発光する光源を複数列に配置してもよい。
【００５０】
ＰＥＴシート等から成る反射部６は平面視矩形に形成され、各基板４上に跨って貼り付けられる。反射部６には光源３が貫通する貫通孔６ａがマトリクス状に設けられ、光源３の周囲に配される。
【００５１】
透過カバー２の底部の両端部には内側に折曲された係合爪２ｅが設けられ、支持板５に設けた突起部５ａに係合爪２ｅが係合して透過カバー２が保持される。透過カバー２の外面２ａ及び内面２ｂは光源３の光軸Ｃに直交した平面により形成される。
【００５２】
また、透過カバー２の内面２ｂには、第１実施形態と同様の突出部２ｃが設けられる。突出部２ｃは透過カバー２の長手方向に延び、光軸Ｃを挟む所定範囲に内側に突出して形成される。突出部２ｃは透過カバー２の内面２ｂよりも外側に曲率中心を有し、例えば断面形状が円の一部や楕円の一部により形成される。これにより、突出部２ｃで透過カバー２の厚みが不均一になっている。
【００５３】
また、突出部２ｃの外周部には第１実施形態と同様の面取り部２ｆが連続して設けられ、内面２ｂを形成する平面との境界が滑らかに連結される。尚、突出部２ｃを光源３に対応して内面２ｂ上にマトリクス状に配された球面や楕円面により形成してもよい。
【００５４】
上記構成の照明装置１０において、光源３から放射状に出射された光は透過カバー２の内面２ｂに到達する。光源３の光軸Ｃの近傍の光は突出部２ｃに到達し、矢印Ｓ４１に示すように透過カバー２を透過する。光源３の光軸Ｃから離れた光は突出部２ｃの周囲の内面２ｂに到達し、矢印Ｓ５１に示すように透過カバー２を透過する。これにより、透過カバー２から照明光が出射される。
【００５５】
また、光源３の光軸Ｃ上を除く光軸Ｃ近傍の光の一部は突出部２ｃに到達して矢印Ｓ４２に示すように突出部２ｃで反射し、光軸Ｃから離れて入射方向と異なる方向に導かれる。これにより、突出部２ｃの反射光が光源３から離れた位置で反射部６で反射し、矢印Ｓ４３に示すように透過カバー２を透過して照明光が出射される。
【００５６】
突出部２ｃの周囲の内面２ｂに到達した光の一部は矢印Ｓ５２に示すように内面２ｂで反射する。これにより、突出部２ｃの周囲の反射光が反射部６で反射し、矢印Ｓ５３に示すように透過カバー２を透過して照明光が出射される。
【００５７】
本実施形態によると、第１実施形態と同様に、透過カバー２の内面２ｂに設けた突出部２ｃが反射光を入射方向と異なる方向に導くので、光軸Ｃ近傍の光が突出部２ｃで光源３から離れるように反射する。従って、光源３に戻って吸収される光を削減し、照明装置１０の光の利用効率を向上することができる。
【００５８】
また、突出部２ｃを除く透過カバー２の内面２ｂが光源３の光軸Ｃに直交する平面を有する。これにより、突出部２ｃを除く透過カバー２の内面２ｂで反射する光が光源３に対して光源３から離れる方向に導かれる。従って、光源３に戻って吸収される光をより削減することができる。
【００５９】
本実施形態において、第２実施形態と同様に、突出部２ｃに替えて透過カバー２の内面から外側に突出する突出部２ｄ（図３参照）を設けてもよい。
【００６０】
次に、図６は第４実施形態の照明装置の正面断面図を示している。説明の便宜上、前述の図１、図２に示す第１実施形態と同様の部分には同一の符号を付している。照明装置２０は一端に口金２２を有した電球型に形成され、内部にＬＥＤ等の点発光する光源３を実装した基板４が配される。
【００６１】
照明装置２０の外形は口金２２、支持部材２３、ヒートシンク２５及び透過カバー２により形成される。口金２２は例えば、Ｅ２６タイプに形成され、商用電源から電力供給されるソケットに螺合する。支持部材２３は口金２２の内面に螺合する樹脂成形品等の絶縁体により筒状に形成され、電源回路を有する回路基板２４を支持する。
【００６２】
ヒートシンク２５はアルミニウム等の金属によって周面が略円錐面から成る筒状に形成され、支持部材２３に一端を係合して取り付けられる。ヒートシンク２５の他端は設置板２５ａにより覆われ、設置板２５ａ上には可撓性の高熱伝導体から成る放熱シート（不図示）を介して基板４が設置される。これにより、放熱シート及びヒートシンク２５を介して光源３の発熱を放熱する。
【００６３】
また、設置板２５ａ上には樹脂製の基板固定部２８が配される。基板固定部２８は中央部に貫通孔２８ａを有し、設置板２５ａに設けた複数の係合孔（不図示）に係合爪２８ｂが係合して取り付けられる。これにより、基板４が設置板２５ａ及び基板固定部２８によって挟持される。この時、光源３が貫通孔２８ａから露出し、光源３の光軸Ｃが照明装置２０の中心軸に一致する。基板４上に貼り付けられるＰＥＴシート等の反射部６は光源３が貫通する貫通孔６ａを有し、光源３の周囲に配される。
【００６４】
透過カバー２は光源３を覆うドーム状に形成され、基板固定部２８の周部に螺合して取り付けられる。透過カバー２は照明光の出射範囲において外面２ａ及び内面２ｂが球面（断面円弧状）に形成され、光源３が該球面の中心に対してオフセットして配置される。透過カバー２の外面２ａ及び内面２ｂを楕円面により形成してもよい。
【００６５】
また、透過カバー２の内面２ｂには光軸Ｃを挟む所定範囲に第１実施形態と同様の内側に突出した突出部２ｃが設けられる。突出部２ｃは透過カバー２の内面２ｂよりも外側に曲率中心を有し、例えば、球面の一部や楕円面の一部により形成される。これにより、突出部２ｃで透過カバー２の厚みが不均一になっている。また、突出部２ｃの外周部には第１実施形態と同様の面取り部２ｆが連続して設けられ、内面２ｂを形成する球面との境界が滑らかに連結されている。
【００６６】
上記構成の照明装置２０において、光源３から放射状に出射された光は透過カバー２の内面２ｂに到達する。光源３の光軸Ｃの近傍の光は突出部２ｃに到達し、矢印Ｓ６１に示すように透過カバー２を透過する。光源３の光軸Ｃから離れた光は突出部２ｃの周囲の内面２ｂに到達し、矢印Ｓ８１に示すように透過カバー２を透過する。これにより、透過カバー２から照明光が出射される。
【００６７】
また、光源３の光軸Ｃ上を除く光軸Ｃ近傍の光の一部は突出部２ｃに到達して矢印Ｓ６２に示すように突出部２ｃで反射し、光軸Ｃから離れて入射方向と異なる方向に導かれる。これにより、突出部２ｃの反射光が光源３から離れた位置で反射部６で反射し、矢印Ｓ６３に示すように透過カバー２を透過して照明光が出射される。
【００６８】
突出部２ｃの周囲の内面２ｂに到達した光の一部は矢印Ｓ８２に示すように内面２ｂで反射する。これにより、突出部２ｃの周囲の反射光が反射部６で反射し、矢印Ｓ８３に示すように透過カバー２を透過して照明光が出射される。
【００６９】
また、光源３から出射して突出部２ｃの外周部で反射した光が矢印Ｓ７２に示すように反射部６の外側を通り、透過カバー２を介して口金２２の方向に出射される。これにより、電球型の照明装置２０の配光角を大きくすることができる。
【００７０】
本実施形態によると、第１実施形態と同様に、透過カバー２の内面２ｂに設けた突出部２ｃが反射光を入射方向と異なる方向に導くので、光軸Ｃ近傍の光が突出部２ｃで光源３から離れるように反射する。従って、光源３に戻って吸収される光を削減し、照明装置２０の光の利用効率を向上することができる。
【００７１】
また、突出部２ｃの反射光の一部が反射部６の外側を通って後方（口金２２の方向）に出射される。これにより、照明装置２０の配光角を大きくすることができる。
【００７２】
本実施形態において、第２実施形態と同様に、突出部２ｃに替えて透過カバー２の内面から外側に突出する突出部２ｄ（図３参照）を設けてもよい。
【産業上の利用可能性】
【００７３】
本発明によると、光源を覆って照明光を出射する透過カバーを備えた照明装置に利用することができる。
【符号の説明】
【００７４】
１、１０、２０  照明装置
２    透過カバー
２ａ  外面
２ｂ  内面
２ｃ、２ｄ  突出部
２ｆ  面取り部
３    光源
４    基板
５    支持板
６    反射部
７    キャップ
２２    口金
２３    支持部材
２４    回路基板
２５    ヒートシンク
２５ａ  設置板
２８    モジュール固定部
【図１】
2012185955.tif 000003
【図２】
2012185955.tif 000004
【図３】
2012185955.tif 000005
【図４】
2012185955.tif 000006
【図５】
2012185955.tif 000007
【図６】
2012185955.tif 000008